(57)【特許請求の範囲】
【請求項１】
基準クロック信号を発生する基準発振器と，
基準クロック信号を受け取る基準入力と，フィードバック信号を受け取るフィードバック入力と，計数方向を指示する比較器信号を発生する出力とを有するデジタル位相比較器と，
前記比較器信号の方向に応答して遅延線長制御信号を発生するデジタル昇降計数器と，
その長さが前記遅延線長制御信号によって決定されるディジタル閉遅延連鎖を含み，前記比較器信号に応答して出力発振器信号を発生する調節可能発振器と，
デジタルプログラマブル分周器を含み，前記調節可能発振器に応答して前記出力発振器信号を分周し，前記位相比較器のフィードバック入力へのフィードバック信号を発生する分周器と，
前記遅延連鎖の出力信号によってクロック駆動される計数器を含み，該計数器の計数が前記昇降計数器の出力信号の複数の最下位側ビットの値と組み合わせられており，この組み合わせから前記遅延連鎖の長さを１ステップ変えるかどうかを決定し，一方，前記昇降計数器の残りの最上位側ビットが前記遅延連鎖を直接アドレス指定する，補間論理回路と，
を含むクロック発生器。
【請求項２】
前記遅延連鎖は直列接続された複数の遅延素子を含み，該遅延素子の各々が順方向インバータと，前記遅延連鎖の長さの調整に作用するループインバータと共に復帰インバータを含む請求項１に記載のクロック発生器。
【請求項３】
前記遅延素子（２４，２６）は制御入力（Ｅ，Ｎ）を有し，該制御入力を経由して前記遅延素子の前記順方向インバータ（２８）及び前記遅延素子の前記復帰インバータ（３０）又は前記遅延素子のループインバータ（３２）が活性化され得るか又は相当する前記遅延素子（２４，２６）がリセットされ得ることを特徴とした請求項２に記載のクロック発生器。
【請求項４】
前記制御入力（Ｅ，Ｎ）を経由しての前記遅延連鎖（１２）のアドレス指定は一度に１つのみのループインバータ（３２）が活性化されるように行われることを特徴とした請求項３に記載のクロック発生器。
【請求項５】
前記遅延連鎖は，遅延素子の出力がリセット条件において論理が０である第１種の複数の遅延素子と，遅延素子の出力がリセット条件において論理が１である第２種の複数の遅延素子とを有し，前記第１種及び第２種の遅延素子が交互に配置されたことを特徴とした請求項２に記載のクロック発生器。
【発明の詳細な説明】
【０００１】
【産業上の利用分野】
本発明は、特許請求の範囲の請求項１の前文に明記された種類のクロック発生器に関し、またこのようなクロック発生器内に使用される本明細書末尾に開示する第１５項前文によるディジタル位相比較器に関する。
【０００２】
上述の種類の従来クロック発生器にあっては、電圧制御発振器が、概して、調節可能発振器として具備され、加えて、低域通過フィルタが電圧制御発振器と位相比較との間に接続される。立ち代わって、電圧制御発振器の出力は、位相ロックループ（以下、ＰＬＬと称する）を達成するために位相比較器の入力に帰還される。
【０００３】
【発明が解決しようとする課題】
この関係における欠点は、特に、極めて多数の外部構成要素が必要とされる
ことである。加えて、位相検出器、低域通過フィルタ、及び電圧制御発振器のような−−採用アナログ機能ユニットが比較的複雑な構成配置を有する。結論として、このようなアナログクロック発生器の電流消費が、また、高くつく。
【０００４】
【課題を解決するための手段】
本発明の目的は、その簡単な構成配置及び比較的低電流消費にもかかわらず信頼性動作を保証し、各場合において周波数の多かれ少なかれ正確調節を可能とするクロック発生器を上述の種類の適当な位相比較器と一緒にして創作することにある。
【０００５】
この目的は、ディジタル遅延連鎖（ｄｅｌａｙ  ｃｈａｉｎ）である調節可能発振器、ディジタルプログラマブル分周器である分周器によって、及び位相比較器の出力と遅延連鎖との間にディジタル昇降計数器を接続することによって達成され、この昇降計数器の計数方向は位相比較器の出力信号によって決定され、かつこの計数器によって遅延連鎖の相当する長さが調節可能である。
【０００６】
この構成配置に基づいて、−−基準周波数を発生する水晶発振子は別として−−外部構成要素をもはや不要にすることが達成される。連鎖の区画内の電流制御に必要とされるバイアス発生器は別として、更に他の機能ユニットが具備されることはない。したがって、極めて簡単な手段によって、クロック発生器の実用的な全ディジタル集積構造が可能ある。このようなクロック発生器は、更になお、電源電圧の揺動ばかりでなく温度及び製作公差の変化にも不感応性である。各場合における出力クロック信号は、非常に高い周波数精度で以て調節され得る。本発明による周波数センシングロックループは、極めて高速応答を有する一次系によって達成される。
【０００７】
遅延連鎖は、好適には、この遅延連鎖の出力信号によってクロック駆動される二重計数器を含む補間論理回路を当てがわれる。この二重計数器の計数は、昇降計数器の出力信号の或るいくつかの最下位ビットの値と組み合わされて、各クロックサイクル中に一度に１ステップずつ遅延連鎖の長さの変化の数を、これらの最下位ビットの値の関数として、規定するのに対して、残りの最上位ビットは遅延連鎖を直接アドレス指定する。
【０００８】
このような補間論理回路によって、遅延連鎖の長さの変化が同じ時間フレーム内に起こると云うことが保証される。
【０００９】
本明細書末尾に開示する第３項による遅延連鎖の１実施例において、遅延連鎖の相当する長さ、従って、各場合の周波数は、相当するループインバータを活性化することによって調節することができ、このループインバータは遅延連鎖の順方向路がその復帰路に直接接続される各場合における反転点を規定する。
【００１０】
相当するループインバータをアドレス指定することが、例えば、本明細書末尾に開示する第４項に明記されたように制御入力を経由して可能であるから、どの時刻においても遅延連鎖の１つのループイバータのみが活性化されるようにアドレス指定を企てることが良い実行策である。
【００１１】
機能によって、例えば、電力投入時において（ｏｎ  ｐｏｗｅｒ  ｕｐ）、規定されるように、遅延素子をリセットすることは、好適には、遅延素子の出力がリセット条件において論理の０である第１種の遅延素子と出力がリセット条件において論理の１である第２種の遅延素子とを交互に有する遅延連鎖によって特に保証される。したがって、遅延連鎖の全ての接続点を、もし要求されるならば、精確規定初期状態へリセットすることができ、選択ループインバータの出力は正しい値を呈するので、その後連鎖の長さに変化を生じせるときに望ましくない信号スパイクが回避される。
【００１２】
１つの遅延素子から次の遅延素子への最大周波数ステップは、なんとしても１／６を超えてなならない。したがって、少なくとも６遅延素子の遅延連鎖を含むことが良い実行策である。
【００１３】
これに加えて、連鎖の長さを増大するに当たって挿入された遅延素子は、もっと短い連鎖長に対して必要であるよりも高い遅延を有すると云え、したがって、１つの遅延素子から次の素子への転送のパーセンテージとしての周波数の変化は、一定に維持されると云える。
【００１４】
遅延素子のインバータは、好適には、電流ミラーを含み、これによって各場合の励振電流（ｄｒｉｖｅｒ  ｃｕｒｒｅｎｔ）を問題なく制限することができる。
【００１５】
１好適実施例によれば、インバータは、各々ｐ形ＭＯＳ電界効果トランジタ（以下、電界効果トランジスタをＦＥＴと称する）及びｎ形ＦＥＴを、スイッチングトラジスタと直列に接続して含む。この配置において、個々の遅延素子の遅延は、励振電流を規定する電流ミラートランジスタのチャネル長によって有効に規定され得る。
【００１６】
本明細書末尾に開示する第１５項の前文に明記された種類の位相比較器は既知であるが、しかしながら、これらは、概して、電圧制御発振器との関連において採用される。これらの従来の位相比較器をディジタルクロック発生器内に使用することは、一連の弱点、例えば、それらの昇出力及び降出力がまた同時に規則的に活性化され、その結果、特にディジタル昇降計数器（ｕｐ−ｄｏｗｎ  ｃｏｕｎｔｅｒ）の活性化を少なくとも困難にする。
【００１７】
これに対して、特にディジタルクロック発生器内に採用され得る本発明によるディジタル位相比較器は、不活性化出力を、他の出力がリセットされている限り、その不活性状態にロックする手段を含む。
【００１８】
この構成配置の結果として、特にディジタル昇降計数器の活性化は実質的に簡単化され、例えば、簡単なＲＳフリップフロップによってディジタル位相比較器を出力させることがこの目的にとって充分であり、このフリップフロップのセット入力及びリセット入力がディジタル位相比較器の２つの出力に接続されることになる。したがって、この出力ＲＳフリップフロップは、１つの出力に単一活性化信号を供給し、この信号が、好適には、本発明によるクロック発生器のディジタル昇降計数器を活性化するように働き、この計数器を経由して調節可能発振器として働く遅延連鎖を制御する。
【００１９】
しかしながら、本発明による１つのこのようなディジタル位相比較器が電圧制御発振器と関連してまた採用され得ると云うことも、基本的にその通りである。
【００２０】
本発明の他の有利な実施例は、本明細書の末尾に開示する従属項から読み取られ得る。
【００２１】
【実施例】
本発明は、付図を参照して実施例について更に詳細にいまから説明される。
【００２２】
図１に示された本発明によるディジタルクロック発生器の実施例は、基準発振器１０、ディジタル閉遅延連鎖（ｄｉｇｉｔａｌ  ｃｌｏｓｅｄ  ｄｅｌａｙｃｈａｉｎ）１２の形をした調節可能リング発振器、ディジタルプログラマブル分周器１４、及びディジタル位相比較器１６を含む。
【００２３】
ディジタルプログラマブル分周器１４は、遅延連鎖１２の出力と位相比較器１６の１つの入力との間に接続される。基準発振器１０の出力は、位相比較器１６の他の入力に接続される。昇降計数器１８は、位相比較器１６の出力に接続される。昇降計数器１８の出力は、一端で遅延連鎖１２に接続され、他端で補間論理回路２０に接続され、この論理回路によって、遅延連鎖１２は、この図に書き込まれた矢印で指示されるように昇降計数器１８の出力を経由してとちょうど同じに、活性化され得る。
【００２４】
遅延連鎖１２に当てがわれた補間論理回路２０は二重計数器（ｄｕａｌ  ｃｏｕｎｔｅｒ）２２を含み、この計数器は遅延連鎖１２の出力信号によってクロック駆動される。二重計数器２２の計数は昇降計数器１８の出力信号の或るいくつかの最下位ビットの値と組み合わせられるので、それゆえ遅延連鎖の長さの変化の数が、これらの最下位値ビット値の値の関数として、１つの相当するクロックサイクル中に、各々、１ステップずつ規定される。昇降計数器１８の残りの最上位ビットは、下に更に詳細に説明される手段によって遅延連鎖を直接アドレス指定するように働く。
【００２５】
設定値周波数を供給する出力クロック信号ＴA は、ディジタル分周器１４を経由して位相比較器１６の入力Ｖ2 へ帰還される。したがって、補間論理回路２０は別として、出力クロック信号ＴA は、また、好適には、昇降計数器１８をクロック駆動するために使用される。
【００２６】
図解の実施例において、基準発振器１０は、３２ｋＨｚ水晶発振子を含む。出力クロック信号ＴA は、分周器１４によって数３２で除算される。遅延連鎖１２は、直列接続された３２の重み付け遅延素子２４、２６を含む（すなわち、また図２から図５）。
【００２７】
昇降計数器１８が１０ビット計数器であるのに対して、補間論理回路２０に対して使用される二重計数器２２は５ビット計数器である。したがって、昇降計数器１８の出力信号の５つの最下位ビットが二重計数器２２の計数と組み合わされるのに対して、昇降計数器１８の出力信号の５つの最上位ビットは遅延連鎖１２を直接アドレス指定するのに使用される。
【００２８】
図解の一次系の位相比較器１６においては、基準発振器の出力信号Ｖ1 は、除数３２にプリセットされたプログラマブル分周器１４の出力Ｖ2 と比較される。この比較の結果に従って、位相比較器１６は出力信号を供給し、これによって昇降計数器１８の計数方向が決定される。昇降計数器１８の計数及び加えて補間論理回路２０によって供給される制御変数に従って、遅延連鎖１２がその長さに関して調節されるので、位相比較器１６によって確立される周波数偏差が零になる。分周器１４が除数３２にプリセットされているとき、１ＭＨｚの周波数が出力クロック信号ＴA に対して生じる。
【００２９】
図２及び図３は、遅延素子がリセットされたとき（すなわち、図２）その出力が論理値０を有する第１種の遅延素子２４と、リセットされたときのその出力が論理値１を有する第２種の遅延素子２６を交互に含むディジタル閉遅延連鎖１２の簡単な概略回路図である。図２及び図３において、リセット条件における遅延素子２４、２６の各結果の出力値は、引用符号内に指示されている。
【００３０】
図２は、リセット直後の遅延素子２４、２６の状態を示し、これによるとリセット路、すなわち、復帰路（ｒｅｔｕｒｎ  ｐａｔｈ）４４の端での出力状態は値０にちょうど変化しているのに対して、また同時に順方向路４６の入力に印加されるこの値は順方向路４６の第１インバータの出力における状態に依然として変化を起こさせようとする。順方向路４６に沿って、含まれたインバータは、したがって、順方向路に沿って１つずつ出力値０、１、０、１、…を有する。
【００３１】
値の順序を走行方向と反対にして、又はその他の順序にして考えるとき、復帰路４４におけるインバータの出力には相当する値が存在し、各遅延素子２４、２６は順方向の出力及び逆方向の出力を有し、これによって、第１遅延素子２４の２つの出力（図２の左側に示されている）は値０を有し、第２遅延素子２６は出力値１を有し、第３遅延素子２４は再び出力値０を有し、以下同様である。
【００３２】
それぞれ、順方向路４６及び復帰路４４の各インバータ２８、３０に後続して、インバータ３２がはしごの横木の形に順方向路４６と復帰路４４との間に接続される。このループインバータ３２を経由して、遅延連鎖１２を、下に更に詳細に説明する仕方及び手段によって短くも長くもすることができる。この配置において、一度に１つのループインバータ３２のみが活性化され、その際、各場合において（図２及び３内右手に示された）遅延連鎖１２の残りの部分はもはや活性ではなくなる。
【００３３】
図３は、遅延連鎖１２の出力がその値を０から１へ変化した直後、かつ図３に示された完全な連鎖が活性化された後の遅延連鎖１２の状態を示す。したがって、順方向路４６及び復帰路４４内のインバータの出力は、交互に、値１、０、１、０、以下同様を有する。図３に示された図解において、連鎖の出力における値１は、なお更に順方向路４６の第１インバータの入力に作用し、したがって、このインバータの出力も依然として１である。横断方向に指向させられたループインバータ３２を選択することによって、遅延連鎖を適当に短くすることができ、これに従って、その周波数を高めることができる。
【００３４】
図４に第１種の遅延素子２４の回路図が示されており、これはリセット条件において、２つの出力ＶA 及びＲA に値０を有する。
【００３５】
これに対して、図５は第２種の遅延素子２６を示し、これの２つの出力ＶA 及びＲA はリセット条件において値０を有する。
【００３６】
遅延連鎖１２内の第１種及び第２種の交互配置遅延素子２４、２６は、順方向インバータ２８、復帰インバータ３０ばかりでなく、ループインバータ３２を当てがわれており、ループインバータ３２は、活性化されると、遅延連鎖の相当する長さが調節されるようにする。遅延素子２４、２６は更に２つの制御入力Ｅ、Ｎを含み、これらの各々を経由してこれらの素子の順方向インバータ２８及び復帰インバー３０又はループインバータ３２を活性化する又は相当する遅延素子２４、２６をリセットすることができる。この配置において、制御入力Ｅ及びＮを経由しての遅延連鎖１２のアドレス指定は、一度に１つのみのループインバータ３２が活性化されるように行われる。これに加え、遅延素子２４、２６のリセットも各電源印加（ｐｏｗｅｒ  ｕｐ）時に自動的に、最適に実行される。
【００３７】
図４に示された第１種の遅延素子２４において、順方向インバータは順方向出力ＶA を伴うＮＯＲゲート２８を含む。復帰出力（ｒｅｔｕｒｎ  ｏｕｔｐｕｔ）ＲA を伴う復帰インバータ３０はインバータ制御入力ＩＳを有し、これを経由して、制御信号が０が印加されるときこのインバータを活性化することができる。ループインバータはＮＯＲゲート３２を含み、これの出力が復帰インバータ３０の出力ＲA に接続される。ＮＯＲゲート３２は非反転制御入力ＮＳを有し、これを経由してこのゲートを印加制御信号０によって活性化することができる。遅延素子２４の順方向入力ＶE は、ＮＯＲゲート３２の入力及びＮＯＲゲート２８の入力に接続される。ＮＯＲゲート３２の１つの他の入力はＡＮＤゲート４８の出力に接続され、このＡＮＤゲートの２つの入力は遅延素子２４の制御入力Ｅ及び制御入力Ｎにそれぞれ接続される。制御入力Ｅは、なお、ＮＯＲゲート２８の他の入力に接続される。これに加えて、他の制御入力Ｅは復帰インバータ３０の反転制御入力ＩＳ及びＮＯＲゲート３２の非反転制御入力ＮＳの両方に接続される。
【００３８】
第１種の遅延素子２４の機能は、次の真理値表から明白である。
【００３９】
【表１】
0003841456.tif 000002
【００４０】
この表は、両制御入力Ｅ、Ｎが値１を有するとき、遅延素子２４の２つの出力ＶA 及びＲA が値０にリセットされることを指示する。
【００４１】
一方で制御入力Ｅが値０を呈しかつ制御入力Ｎが値１を呈するとき、順方向インバータ２８及び復帰インバータ３０は活性化されるのに対して、ループインバータ３２は不活性化される。したがって、順方向入力ＶE の反転値￣ＶE が順方向出力ＶA に現れ、反転値￣ＲE が復帰出力ＲA に現れる。
【００４２】
制御入力Ｅが値１を有し及び制御入力Ｎが値０を有するとき、ループインバータ３２は活性化される。この場合において、順方向出力ＶA の値は０に等しいのに対して、復帰出力ＲA の値は順方向入力ＶE の反転値￣ＶE に等しい。この場合、遅延連鎖１２の長さは、この遅延素子のループインバータ３２によって決定される。残りのループインバータは、不活性化されたのままである。
【００４３】
図５に示された第２種の遅延素子２６において、順方向インバータはＮＡＮＤゲート２８を含み、ループインバータはＮＡＮＤゲート３２を含む。ＮＡＮＤゲート３２の反転制御入力ＩＳは復帰インバータ３０の非反転制御入力ＮＳと一括されて遅延素子２６の制御入力Ｎに接続される。制御入力Ｎは更にＮＡＮＤゲート２８の入力及びＯＲゲート５０の入力に接続され、ゲート５０は他の入力を遅延素子２６の制御入力Ｅに接続される。ＯＲゲート５０の出力はＮＡＮＤゲート３２の入力に接続され、ゲート３２は他の入力を有しこれに遅延素子２６の順方向入力ＶE が接続される。遅延素子２６の順方向入力ＶE に、ＮＡＮＤゲート２８の他の入力が接続される。順方向出力ＶA は、ＮＡＮＤゲート２８の出力によって形成される。復帰インバータ３０の出力及びＮＡＮＤゲート３２の出力は遅延素子２６の復帰出力ＲA に接続されるの対して、遅延素子２６の復帰入力ＲE は復帰インバータ３０の入力によって形成される。
【００４４】
第２種のこの遅延素子２６の機能は、次の真理値表から明白である。
【００４５】
【表２】
0003841456.tif 000003
【００４６】
この表は、両制御入力Ｅ、Ｎが値１を有するとき、遅延素子２６の２つの出力ＶA 及びＲA が値１にリセットされることを指示する。
【００４７】
制御入力Ｅが値０にセットされかつ制御入力Ｎが値１にセットされるとき、順方向インバータ２８及び復帰インバータ３０は活性化されるのに対して、ループインバータ３２は不活性化されたままである。この場合、順方向入力ＶE の反転値￣ＶE が順方向出力ＶA に生じ、かつ復帰入力ＲE の反転値￣ＲE が復帰出力ＲA に生じる。
【００４８】
しかしながら、もし制御入力Ｅが値１を呈しかつ制御入力値Ｎが値０を呈するならば、ループインバータ３２が活性化されて、順方向入力ＶE の反転値￣ＶE を復帰出力ＲA に生じるに対して、順方向出力ＶA は値１に保持される。
【００４９】
図２及び図３から明白なように、遅延連鎖１２はその端に第１種の遅延素子２４を有し、これが出力クロック信号ＴA を供給する。
【００５０】
遅延連鎖１２のトランジスタ能動回路の達成は、通常のＣＭＯＳ構造からいくか逸脱している。全てのインバータ２８、３０、及び３２は、各々の場合に励振電流を制限する電流ミラーを含む。バイアス電圧発生器は、スイッチングトランジスタに直列接続されたｐ形ＦＥＴ及びｎ形ＦＥＴをゲートさせるために電圧を供給する。したがって、各遅延素子２４及び２６の出力電流は、チャネル長比によって容易に決定され得る。全てのトランジスタの幅及びスイッチングトランジスタの長さは、最小に短縮され得る。段間のスイッチング雑音を低減しかつ電荷テークオーバ作用（ｃｈａｒｇｅ  ｔａｋｅｏｖｅｒ  ｅｆｆｅｃｔｓ）を回避するために、電流ミラートランジスタを出力に直接接続することができる。
【００５１】
遅延連鎖１２内の電流消費は、遅延素子２４と２６との間のリポール（ｒｅｐｏｌｅ）されることを必要とするキャパイタンスによって主として決定される。
【００５２】
１ＭＨｚの設定値周波数は、遅延連鎖１２のおよそ半分を活性化することによって正規条件（３Ｖ、２７℃典型的製作パラメータ）の下で達成されるべきであり、これが正規値からの偏差に対して充分な余地を残す。例えば、この回路が最小キャパシタスに対して設計されている限り、各遅延素子に対して２×７０ｆＦのキャパシタンスが達成される。１６の遅延素子２４、２６について３２のキャパシタンスをリポールするのに必要な電流は、次によって表される。
【００５３】
【数１】
0003841456.tif 000004
【００５４】
１つの遅延素子２４、２６から次の遅延素子への周波数の最大ステップは、１／６を超えてはならない。したがって、遅延連鎖１２は、好適には、少なくとも６つの遅延素子２４、２６を含むべきである。
【００５５】
種々の遅延素子２４、２６の遅延を、周波数のステップを１／６より大きくすることなく遅延連鎖の長さを増大することで以て、増大することができる。例えば、第１３遅延素子は、第１遅延素子の遅延の２倍の遅延を有することができる。
【００５６】
種々の遅延素子の遅延を、関連する電流ミラー内の電流を規定するトランジスタのチャネル長を相当するだけ増大することによって簡単に増大することができる。この仕方において、１つの遅延素子から次の遅延素子への周波数のパーセンテージ変化を、多かれ少なかれ一定に維持することができ、これによって製作パラメータの通常偏差を許容可能とする。
【００５７】
最初の９つの遅延素子２４、２６は、約１０μＡの励振電流を供給することができ、次いで最大出力は連続的に減少させられる。１ＭＨｚ以外の設定値周波数に対しては、リーポールする電流は、簡単に、例えば、バイアス電圧発生器内の電流決定抵抗器を変化させることによって、変化させることができる。
【００５８】
従来のＣＭＯＳインバータが、少なくともループインバータとして採用されることがある。
【００５９】
遅延連鎖１２のアドレス指定又はその長さの各変化は、両制御入力Ｅ及びＮの値の相当する変化を必要とする。両制御信号が同時に変化し、したがってリセット条件が短い瞬間に実現することができると云うことは一般に保証され得ないから、たとえリセットモードの迅速な生起があっても信号スパイクが生成されないように図２に示された状態が起こる瞬間にアドレスの変化が有効でなければならない。
【００６０】
分周器１４、補間論理回路２０、及び昇降計数器１８は、遅延連鎖１２の出力で以てクロック駆動される。このクロックパルスは、例えば、１ＭＨｚの周波数を有しており、分周器１４によって、例えば、３２で分周され、位相比較器１６内で３２ｋＨｚの規準周波数と比較される。分周器１４は、例えば、１と１２７との間でプログラマブルである。
【００６１】
位相比較器１６の出力信号は、次いで、１０ビット昇降計数器１８の計数方向を指令し、この計数器の５つの最上位ビットが遅延連鎖１２を直接アドレス指定する。
【００６２】
遅延連鎖１２内のクロックパルスの復帰縁（ｒｅｔｕｒｎ  ｅｄｇｅ）は、アドレスの変化の前にループ点又は反転点に到達しないことを保証する必要がある。最大調節可能周波数は、分周器１４、位相比較器１６、補間論理回路２０、及び１０ビット昇降計数器１８での遅延によって、正規的に制限される。このループ（反転）点は、クロックサイクルの１／４の後に到達を受ける。
【００６３】
もし遅延が過剰であるならば、このことが雑音性信号スパイクを容易に起こさせる。この問題は、クロックパルスの立上がり縁（ｅｄｇｅ）に続いてアドレスを直接ロックすることによって、開始から正しく除去され得る。その際、遅延連鎖の入力におけるロッキング回路はクロックパルスの立下がり縁が起こるまで再び透明にならないから、新アドレスを確立するために充分な時間が利用可能である（半クロックサイクル）。この時点におけるリセットモードの迅速な生起は、図２から明白なようにもはや信号スパイクを起こさせない。
【００６４】
リセットモードが起こる場合、第１種の相当する遅延素子２４は０にセットされるのに対して、第２種の相当する遅延素子２６は１にセットされる。
【００６５】
例えば、３２にプリセットされた分周器１４に対しては、１０ビット昇降計数器１８の計数方向を３２クロックパルス前にはとても変化させ切れないから、新情報が位相比較器１６の出力に現れているとき、周波数ロック条件の下で昇降計数器１８が種々のクロックサイクル中に誤った方向へ計数する公算がある。表現を変えるならば、周波数がロック値の回りに揺転するおそれがある。３２クロックサイクルの後でも、計数方向を瞬間的にセンシングすることはできない。実周波数と設定値周波数とは遠く離れてはいないので、周波数偏差を確立するには、３２ｋＨｚクロックサイクルの数サイクル分が必要であると云える。
【００６６】
クロック発生器の応答を改善するために、昇降計数器１８の５つの最上位ビットが遅延連鎖１２をアドレス指定するのに使用されるの対して、残りの最下位ビットは補間論理回路２０の５ビット二重計数器２２の出力と組み合わせられる。５つの最下位ビットの値が高いほど、１クロックサイクル当たり１ステップずつ遅延連鎖１２がますなす頻繁に短縮される。５ビット二重計数器２２を使用することは、遅延連鎖の短縮化が同じ時間フレーム内で起こることを保証する。
【００６７】
次の表３はいつ遅延連鎖１２が各回に１ステップずつ短縮されるかを指示し、ここで５ビット二重計数器２２の出力値は水平方向に与えられ、１０ビット昇降計数器１８の５つの最下位ビットの値は垂直方向に与えられる。
【００６８】
【表３】
0003841456.tif 000005
【００６９】
この後に、昇降計数器１８の５つの最下位ビットの値に伴ってステップ変化周波数が上昇する。
【００７０】
補間論理回路２０は、周波数偏差が全体として短い時間区間内に減少させられるように、ロック状態における制御周波数を上昇させることを支援する。
【００７１】
図１に示されたクロック発生器の位相比較器１６は、全ディジタルループ内の昇降計数器１８の計数方向を規定するように働く。昇降計数器１８は相当する出力信号を供給し、これによって閉遅延連鎖１２の長さ、したがって、設定値周波数が制御される。
【００７２】
この目的に使用されるディジタル位相比較器は、例えば、２つの入力Ｖ1 及びＶ2 （すなわち、図１）の状態に従って昇降計数器１８の計数方向を確立する昇出力及び降出力を有する。この関係で、ディジタル位相比較器は、２つの入力のどちらが先にその活性値を呈するかに従って、指定された昇（ｕｐ）出力及び降（ｄｏｗｎ）出力を、それぞれ、活性値にセットしかつ活性値になる他の入力信号に続いてリセットするように適当に設計され得る。この種の位相比較器はＰＬＬ回路に既に採用されており、この回路においては両出力のデューティサイクルが位相及び周波数偏差の測定値として採用される。
【００７３】
しかしながら、位相比較器を、図１に示されたディジタルクロック発生器内に直接採用することはできないが、それは、特に、昇降計数器１８を活性化するために、離散制御信号が好適には提供されるべきであり、これによって相当する計数方向が決定されるべきだからである。このような離散制御信号を生成する簡単な１つの解決は、ディジタル位相比較器の昇出力及び降出力を離散ＲＳフリップフロップのセット及びリセット入力に接続し、このフリップフリロップの１つの出力上に制御信号を取り出すことであり得よう。しかしながら、この解決は、図６及び図７から明白なように既知のディジタル位相比較器と使用するとき雑音性電圧スパイクを生じることがある。
【００７４】
図６において、既知のディジタル位相比較器が、入力信号Ｖ1 及びＶ2 用の２つの入力、及び昇出力３４及び降出力３６を有して示されている。
【００７５】
この既知のディジタル位相比較器の入力Ｖ1 及びＶ2 は、２つの入力ゲート、すなわち、ＮＡＮＤゲート５２及びＮＡＮＤゲート５４それぞれの入力を同時に形成する。ＮＡＮＤゲート５２の出力は、一方で２つのＮＡＮＤゲート５６’及び５６”を含むＲＳフリップフロップ５６のセット入力Ｓに接続され、他方で出力ゲート、すなわち、ＮＡＮＤゲート６０の入力に接続される。ＮＡＮＤゲート６０の出力は、ＮＡＮＤゲート５２の他の入力に帰還される。ＮＡＮＤゲート６０の出力は、同時に、このディジタル位相比較器の昇出力３４を形成する。
【００７６】
対応して、ＮＡＮＤゲート５４の出力は、一方で２つのＮＡＮＤゲート５８’及び５８”を含むＲＳフリップフロップ５８のセット入力Ｓに接続され、他方で出力ゲート、すなわち、ＮＡＮＤゲート６２の入力に接続される。立ち代わって、ＮＡＮＤゲート６２の出力は、ＮＡＮＤゲート５４の他の入力に帰還され、ＮＡＮＤゲート６２の出力は、同時に、このディジタル位相比較器の降出力３６を形成する。
【００７７】
ＲＳフリップフロップ５６の出力Ｑは、一方でＮＡＮＤゲート６０の他の入力に接続され、他方で他のＮＡＮＤゲート６４の入力に接続される。ＲＳフリップフロップ５８の出力Ｑは、一方でＮＡＮＤゲート６２の他の入力に接続され、他方でＮＡＮＤゲート６４の他の入力に接続される。ＮＡＮＤゲート６４は、２つの他の入力を有し、これらはＮＡＮＤゲート５２の出力及びＮＡＮＤゲート５４の出力に、それぞれ、接続される。ＮＡＮＤゲート６４の出力は、ＮＡＮＤゲート６０の第３入力ばかりでなくＮＡＮＤゲート６２の第３入力に接続され、これに加えて、ＲＳフリップフロップ５６のリセット入力ＲばかりでなくＲＳフリップフロップ５８の相当するリセット入力Ｒにも接続される。
【００７８】
この既知のディジタル位相比較器において、ＮＡＮＤゲート６４は、したがって、この位相比較器の昇出力３４及び降出力３６を１にリセットし、かつ２つのＲＳフリップフロップ５６及び５８を０にリセットするように働く。
【００７９】
その他の点では、この既知の位相比較器の機能は図７に示された時間信号波形から明白であり、次の説明はこの図を参照する。
【００８０】
Ｖ1 ＝０かつＶ2 ＝０であって、２つのＲＳフリップフロップ５６及び５８が値０にリセットされるとき、ディジタル位相比較器の２つの昇出力３４及び降出力３６は各々値１にリセットされる。もしそのとき入力信号Ｖ1 ＝１ならば、ＲＳフリップフロップ５６は値１にリセットされる。位相比較器の昇出力３４及び降出力３６は、値１を持ち続ける。
【００８１】
そこで、もしも他の入力信号Ｖ2 が値１を呈するならば、他のＲＳフリップフロップ５８も、加えて、値１にセットされるであろう。ディジタル位相比較器の昇出力３４及び降出力３６は値１をなお持ち続ける。入力信号Ｖ1 又は入力信号Ｖ2 の次の立下がり縁によって、位相比較器のそれぞれ相当する出力３４及び３６は、活性値０にセットされる。
【００８２】
われわれは、いま、例えば、入力信号Ｖ1 がまず値０を呈し、次いで位相比較器の昇出力３４がこれに従って活性０にセットされると云うことを仮定する。降出力３６は、その値１を維持する。
【００８３】
その後に入力信号Ｖ2 もまた値０を呈するとき、昇出力３４は、欲するように、値１にセットされるが、しかし同時に欲しない０パルス（すなわち、図７）が昇出力３６に実現して、これが、昇降計数器１８が活性化されるとき、パルス信号雑音を生じるおそれがある。特に、昇降計数器１８（図１）に対して、その出力に１つの他のＲＳフリップフロップを設けることによって、単一活性化信号を発生することは、直接的に可能ではない。この場合もまた、回路が雑音を免れる保証はない。
【００８４】
しかしながら、代わって、もし入力信号Ｖ2 が値０を呈するならば、降出力３６がまず値０にセットされるであろう。そこで、もし入力信号Ｖ1 もまた値０を呈するならば、先に０にセットされていた降出力３６は１にセットされるであろう。しかしながら、この場合、雑音性０パルスが昇出力３４に生じる（すなわち、図７）。
【００８５】
いま、図８に参照を転じると、本発明によるディジタル位相比較器の実施例が、図１に示された本発明によるクロック発生器内に特に有利に使用され得ることが、明白になる。
【００８６】
本発明によるこのディジタル位相比較器は、２つの入力ゲート、すなわち、ＮＡＮＤゲート５２及びＮＡＮＤゲート５４を含む。入力信号Ｖ1 はＮＡＮＤゲート５２の１つの入力に印加されるに対して、入力信号Ｖ2 はＮＡＮＤゲート５４の１つの入力に現れる。
【００８７】
ＮＡＮＤゲート５２の出力は、一方で２つのＮＡＮＤゲート５６’及び５６”を含むＲＳフリップフロップ５６のセット入力￣Ｓに、他方で出力ゲート、すなわち、ＮＡＮＤゲート６０の１つの入力に接続される。ＲＳフリップフロップ５６の出力Ｑは、ＮＡＮＤゲート６０の他の入力に接続される。ディジタル位相比較器の昇出力３４に接続されたＮＡＮＤゲート６０の出力は、ＮＡＮＤゲート５２の他の入力に帰還される。
【００８８】
ＮＡＮＤゲート５４の出力は、一方でＲＳフリップフロップ５８のセット入力￣Ｓに、他方で出力ゲート、すなわち、ＮＡＮＤゲート６２の１つの入力に接続される。ＲＳフリップフロップ５８の出力Ｑは、ＮＡＮＤゲート６２の他の入力に接続される。ディジタル位相比較器の降出力３６を形成するＮＡＮＤゲート６２の出力は、ＮＡＮＤゲート５４の他の入力に帰還される。
【００８９】
ここまでは、このディジタル位相比較器は、図６に示されたものと同等であり、したがって、同様の参照符号は同様のゲートに対して使用される。
【００９０】
しかしながら、図８に示された本発明による位相比較器においては、既知の位相比較器（すなわち、図６）内に提供されたＮＡＮＤゲートの機能が、３つのＮＡＮＤゲート４０、４２、６８、及びＮＯＲゲート６６によって共用される。加えて、回路を規定状態へ、好適には、電力投入時へ復帰させるために他のリセット入力
【外１】
0003841456.tif 000006
ＣＫが設けられる。本発明によるディジタル位相比較器の１つのこのような構成配置の実施例は、再び図８を参照する次の説明からいま明白になる。
【００９１】
この図を参照すると、ＲＳフリップフロップ５６の出力Ｑは、更に、ＮＡＮＤゲート４０の入力に接続され、後者の出力はＮＡＮＤゲート６２の他の入力に接続される。
【００９２】
したがって、ＲＳフリップフロップ５８の出力Ｑは、加えて、ＮＡＮＤゲート４２の入力に接続され、後者の出力はＮＡＮＤゲート６０の他の入力に接続される。
【００９３】
ＮＡＮＤゲート４０の他の入力はＮＡＮＤゲート５２の出力に接続されるに対して、ＮＡＮＤゲート４２の他の入力はＮＡＮＤゲート５４の出力に接続される。
【００９４】
ＲＳフリップフロップ５６の出力￣ＱはＮＯＲゲート６６の入力に接続され、後者の他の入力はＲＳフリップフロップ５８の相当する出力￣Ｑに接続される。ＮＯＲゲート６６の出力は他のＮＡＮＤゲート６８の１つの入力に接続され、後者の他の２つの入力は、それぞれ、ＮＡＮＤゲート５２の出力及びＮＡＮＤゲート５４の出力に接続される。ＮＡＮＤゲート６８の出力は、ＲＳフリップフロップ５６の１つのリセット入力￣Ｒ及びＲＳフリップフロップ５８の１つのリセット入力￣Ｒの両方に接続される。
【００９５】
これに加えて、本発明よるこのディジタル位相比較器は追加のリセット入力
【外２】
0003841456.tif 000007
ＣＫを備え、その上、この入力は、ＲＳフリップフロップ５６の他のリセット入力Ｒ、ＲＳフリップフロップ５８の他のリセット入力￣Ｒ、ＮＡＮＤゲート５２の他の入力ばかりでなくＮＡＮＤゲート５４の他の入力に接続される。
【００９６】
本発明よるディジタル位相比較器が機能する仕方は、いま、図９に示された時間信号波形を考察することから明白になるが、この図は時間の関数として２つの入力信号Ｖ1 、Ｖ2 ばりでなく昇出力３４及び降出力３６を図解する。
【００９７】
両入力信号Ｖ1 及びＶ2 が各々０かつ両ＲＳフリップフロップ５６及び５８が０（出力Ｑ）にリセットされるとき、本発明によるディジタル位相比較器の昇出力３４及び降出力３６は１にリセットされる。この規定された出力状態において、位相比較器は、特に、追加のリセット
【外３】
0003841456.tif 000008
ＣＫにおける０パルスによってセットされ得る。
【００９８】
加えて、入力信号Ｖ1 が値１を呈するとき、指定ＲＳフリップフロップ５６は、値１（出力Ｑ）にセットされる。
【００９９】
次いで入力信号Ｖ2 が値１を呈するとき、他のＲＳフリップフロップ５８もまた値１（出力Ｑ）にセットされ、これによってＮＯＲゲート６６の出力が値０から１へ変化するが、これはＲＳフリップフロップ５６の出力￣ＱばかりでなくＲＳフリップフロップ５８の出力￣Ｑの両方が各々値０を呈するからである。
【０１００】
もし入力信号Ｖ1 がそこでまずその値を１から０に再び変化するならば、これに従って、活性０が昇出力３４においてセットされる。ここで重要なことは、入力信号Ｖ1 の変化に起因して、ＮＡＮＤゲート４０の出力もまた値０にセットされると云うことである。
【０１０１】
他の入力信号Ｖ2 がまた値０を呈するとき、ＲＳフリップフロップ５８はまず値０（出力Ｑ）にリセットされる。ＮＡＮＤゲート５４の出力が値１ならば、値０がまたまずＮＡＮＤゲート６８の出力にまず起こり、これがまた他のＲＳフリップフロップ５６を値０（出力Ｑ）にリセットさせる。したがって、ディジタル位相比較器の昇出力３４は値１にリセットされる。ＲＳフリップフロップ５６が０（出力Ｑ）にリセットされてしまうまで、（その前には、ＲＳフリップフロップ５８の出力Ｑが既に値０にセットされている）ＮＡＮＤゲート４０がまずその出力に値０を維持しているので、ディジタル位相比較器の降出力３６は、昇出力３４が値１にリセットされるのと同時に、その現存する値１に維持（ロック）される。ＲＳフリップフロップ５６がリセットされた後ＮＡＮＤゲート４０の出力が再び値１を呈するときには、ＲＳフリップフロップ５８の出力Ｑが値０を呈するや否や、ＮＡＮＤゲート６２が降出力３６に値１を維持し続けると云うことが既に保証されている。
【０１０２】
ＲＳフリップフロップ５８がリセットされてしまうや否や、値０がＮＯＲゲート６６の出力に実現し、これが、立ち代わって、ＮＡＮＤゲート６８の出力を値１にセットさせるので、それゆえＮＡＮＤゲート６８の出力における又は２つのＲＳフリップフロップ５６、５８のリセット入力￣Ｒにおけるリセットパルスが終端される。
【０１０３】
代わって、もし入力信号Ｖ2 がまず値０を呈するならば、ディジタル位相比較器の降出力３６がまず０にセットされる。次いで、もしも入力信号Ｖ1 が値０に変化するならば、昇出力３４にどんな負パルスを実現することなく降出力３６もまた０にリセットされる。この場合、ＮＡＮＤゲート４２は、値１が昇出力３４に維持される、すなわち、ロックされることを保証する。
【０１０４】
２つの入力信号Ｖ2 及びＶ2 が一致して負指向するとき或るパルスが昇出力３４及び降出力３６の両方に起こると云う事実は、決定的に重大ではなく、それは、この場合、正しい又は間違った計数方向と云うものが存在しないからである。
【０１０５】
この構成配置の結果として、活性０信号がどの或る時刻においても２つの出力３４及び３６の１つのみに存在することが保証される。しかしながら、いま、単一ＲＳフリップフロップ３８を、特に図８から明白なように昇降計数器１８（すなわち、図１）に対して単一活性化信号を発生するために使用することができる。この配置において、昇出力３４をＲＳフリップフロップ３８のセット入力Ｓに、及び降出力３６をそのリセット入力Ｒに接続することが有効である。ＲＳフリップフロップ３８の出力Ｑは、図１に示されたディジタルクロック発生器の昇降計数器１８の計数方向を指令する。
【０１０６】
しかしながら、本発明によるディジタル位相比較器は、図１に示された特にクロック発生器内におけるような全ディジタルループ内のみならず、また、例えば、発振器との組み合わせ、例えば、アナログループ内の使用に供されてもよい。
【０１０７】
これに加えて、活性０信号の代わりに、活性１信号を使用することもまた原理的に可能であり、この目的のためには、相当する共役的回路構成配置が選択されることになる。最後に、ＲＳフリップフロップ３８の代わりに、ディジタル昇降計数器に対する単一活性化信号を発生するものならばどんな他の適当な終端回路が提供されてもよい。
【０１０８】
電力投入時、遅延連鎖１６の長さをその最大値にリセットすることが有効であり、そうすれば、分周器の出力に生成される周波数が規準周波数と多かれ少なかれ同じになるまで位相比較器は、好適には、その昇出力を活性値にセットする。
【０１０９】
【発明の効果】
設定周波数での位相のどんな偏移も、例えば、位相偏移が臨界値を超えるや否や遅延連鎖内のスイッチング段の範囲を縮小することによって及び／又は分周器の出力信号を規準周波数信号と同期させることによって中和され、設定値の回りのどんな振動（ジッタ）の振幅も顕著に減少することを可能にする。周波数の迅速な偏差もまた最小にされるから、周波数の指数関数的精確調節か可能であり、それゆえに非同期データ変換のプロトコルでさえも使用することができる。
【０１１０】
この回路はプログラミングを可能とするから、簡単な取扱いが保証される。制御動作を簡単に破棄しかつ離散周波数を望むようにプログラムすることができる。閉制御ループを不活性化すること及び低周波数を選択することは、結果的に完全なシステムの電流消費を更に低減する。
【０１１１】
正規的に、閉ループ制御は、全連鎖長の電力投入時に、すなわち、最低可能周波数において開始する。
【０１１２】
例えば、完全遅延連鎖について規準周波数の１サイクル内に発生されるクロックパルスを計数し、設定値長さを計算し、このようにしてこの遅延連鎖をこの計算値にプリセットし、それゆに電力投入後の調節に必要な全時間を短縮することによって、この遅延連鎖をセットするに要する時間を更に短縮することができる。
【０１１３】
以上の説明に関して更に以下の項を開示する。
【０１１４】
（１）  クロック発生器が基準発振器と、調節可能発振器１２と、分周器１４と、位相比較器１６とを有し、前記分周器１４が前記調節可能発振器１２の出力と前記位相比較器１６の１つの入力との間に挿入され、前記基準発振器１０の出力が前記位相比較器１６の他の入力に接続され、前記調節可能発振器１２の調節が前記位相比較器１６の出力に依存する前記クロック発生器であって、前記調節可能発振器はディジタル閉遅延連鎖１２であることと、前記分周器はディジタルプログラマブル分周器１４であり、前記位相比較器１６の出力と前記遅延連鎖１２との間にディジタル昇降計数器１８が接続され、前記昇降計数器の計数方向は前記位相比較器１６の出力信号によって決定され、前記昇降計数器によって前記遅延連鎖１２の相当する長さが調節可能であることとを特徴とするクロック発生器。
【０１１５】
（２）  第１項記載のクロック発生器であって、前記遅延連鎖１２が該遅延連鎖の出力信号によってクロック駆動される二重計数器２２を含む補間論理回路２０を当てがわれ、前記二重計数器の計数は前記昇降計数器１８の出力信号の或るいくつかの最下位ビットの値と組み合わされて、前記最下位ビットの前記値の関数として、各クロックサイクル中に一度に１ステップずつ前記遅延連鎖の長さの変化の数を規定するのに対して、前記昇降計数器の前記出力信号の残りの最上位ビットは前記遅延連鎖１２を直接アドレス指定することを特徴とするクロック発生器。
【０１１６】
（３）  第１項又は第２項記載のクロック発生器であって、前記遅延連鎖１２は直列接続された複数の遅延素子２４、２６を含み、該遅延素子の各々が順方向インバータ２８と、復帰インバータ３０とばかりでなくループインバータ３２を含み、該ループインバータの活性化によって前記遅延連鎖の各長さが調整可能であることを特徴とするクロック発生器。
【０１１７】
（４）  第３項記載のクロック発生器であって、前記遅延素子２４、２６は制御入力（Ｅ、Ｎ）を有し、該制御入力を経由して前記遅延素子の前記順方向インバータ２８及び前記遅延素子の前記復帰インバータ３０又は前記遅延素子のループインバータ３２が活性化され得るか又は相当する前記遅延素子２４、２６がリセットされ得ることを特徴とするクロック発生器。
【０１１８】
（５）  第４項記載のクロック発生器であって、前記制御入力（Ｅ、Ｎ）を経由しての前記遅延連差１２のアドレス指定は一度に１つのみのループインバータ３２が活性化されるように行われることを特徴とするクロック発生器。
【０１１９】
（６）  第３項から第５項記載のクロック発生器であって、前記遅延連鎖１２は、遅延素子の出力がリセット条件において論理の０である第１種の遅延素子２４と、遅延素子の出力がリセット条件において論理の１である第２種の遅延素子２６とを交互に有することを特徴とするクロック発生器。
【０１２０】
（７）  第６項記載のクロック発生器であって、前記遅延素子２４、２６は電力投入時に自動的にリセットされることを特徴とするクロック発生器。
【０１２１】
（８）  第６項又は第７項記載のクロック発生器であって、前記遅延連鎖１２）は出力クロック信号（ＴA ）を供給する端に第１種の遅延素子２４を有することを特徴とするクロック発生器。
【０１２２】
（９）  第３項から第８項のうちいずれか１に記載のクロック発生器であって、前記遅延連鎖１２は少なくとも６つの遅延素子２４、２６を含むことを特徴とするクロック発生器。
【０１２３】
（１０）  第３項から第９項に記載のクロック発生器であって、前記遅延素子２４、２６は少なくとも部分的に異なる遅延を有することを特徴とするクロック発生器。
【０１２４】
（１１）  第１０項に記載のクロック発生器であって、遅延連鎖の長さを増大するに当たって追加される前記遅延素子２４、２６はもっと短い遅延連鎖長に対して必要である遅延素子２４、２６よりも高い遅延を有することを特徴とするクロック発生器。
【０１２５】
（１２）  第３項から第１１項に記載のクロック発生器であって、前記インバータ２８、３０、３２は各場合において励振電流を制限するミラー回路を含むことを特徴とするクロック発生器。
【０１２６】
（１３）  第３項から第１２項に記載のクロック発生器であって、前記インバータ２８、３０、３２は、各々、スイッチングトランジスタに直列接続されたｐ形ＭＯＳＦＥＴとｎ形ＭＯＳＦＥＴとを含むことを特徴とするクロック発生器。
【０１２７】
（１４）  第３項から第１３項に記載のクロック発生器であって、個別の前記遅延素子２４、２６は励振電流を決定する前記電流ミラーのトランジスタのチャネル長によって少なくとも実質的に決定されることを特徴とするクロック発生器。
【０１２８】
（１５）  第１項から第１４項のうちいずれか１つによるクロック発生器内に特に使用されるディジタル位相比較器が２つの入力信号（Ｖ1 、Ｖ2 ）の状態に従って調整可能発振器１８を活性化するために昇出力３４と降出力３６を有し、前記２つの入力信号（Ｖ1 、Ｖ2 ）のうちのどちらがまず該信号の活性値（０）を呈するかに従って、指定昇出力３４及び指定降出力３６が、それぞれ、活性値（０）にセットされかつ他の入力信号が活性になるのに続いてリセットされるようになっている前記ディジタル位相比較器であって、他の出力（３４、３６）のリセット中に、不活性化出力３４、３６を不活性化状態にロックする手段４０、４２を設けられていることを特徴とするディジタル位相比較器。
【０１２９】
（１６）  第１５項記載のディジタル位相比較器であって、前記昇出力３４と前記降出力３６とは出力ＲＳフリップフロップ３８を有することと、前記昇出力３４と前記降出力３６とは前記出力ＲＳフリップフロップ３８のセット入力Ｓとリセット入力（Ｒ）とにそれぞれ接続され、前記出力ＲＳフリップフロップ３８は出力（Ｑ）に前記調節可能発振器１８に対する単一活性化信号を供給することとを特徴とするディジタル位相比較器。
【０１３０】
（１７）  第１５項又は第１６項記載のディジタル位相比較器であって、前記調節可能発振器はディジタル昇降計数器１８によって制御されるディジタル閉遅延連鎖１２を含み、前記昇降計数器１８の計数方向は前記活性化信号によって指定可能でああることを特徴とするディジタル位相比較器。
【０１３１】
（１８）  第１５項又は第１６項記載のディジタル位相比較器であって、前記調節可能発振器は電圧制御発振器であることを特徴とするディジタル位相比較器。
【０１３２】
（１９）  クロック発生器は、基準発振器１０、ディジタル閉遅延連鎖１２と、ディジタル分周器１４と、ディジタル位相比較器１６とを含む。前記分周器１４は、前記調節可能遅延連鎖１２の出力と前記位相比較器１６の１つの入力との間に挿入される。前記基準発振器１０の出力は、前記位相比較器１６の他の入力に接続される。前記位相比較器１６の出力と前記遅延連鎖１２との間にディジタル昇降計数器１８が接続され、前記昇降計数器の計数方向は前記位相比較器１６の出力信号によって決定され、前記昇降計数器によって前記遅延連鎖１２の相当する長さが調節可能である。
【図面の簡単な説明】
【図１】本発明によるディジタルクロック発生器のブロック図。
【図２】本発明によるディジタルクロック発生器のディジタル遅延連鎖のそのリセット状態における概略回路図。
【図３】図２に示されたディジタル遅延連鎖のその直後に出力を変化した状態を図解する概略回路図。
【図４】ディジタル遅延連鎖に含まれる第１種の遅延素子の回路図。
【図５】ディジタル遅延連鎖に含まれる第２種の遅延素子の回路図。
【図６】既知ディジタル位相比較器の回路図。
【図７】図６に示された既知ディジタル位相比較器の入力及び出力上の信号波形図。
【図８】本発明によるディジタル位相比較器の回路図。
【図９】図８に示されたディジタル位相比較器の入力及び出力上の信号波形図。
【符号の説明】
１０  基準発振器
１２  ディジタル閉遅延連鎖（調節可能遅延連鎖）
１４  ディジタルプログラマブル分周器
１６  ディジタル位相比較器
１８  ディシタル昇降計数器
２０  補間論理回路
２２  二重計数器
２４  第１種の遅延素子
２６  第２種の遅延素子
２８  順方向インバータ
３０  復帰インバータ
３２  ループインバータ
３４  （位相比較器の）昇出力
３６  （位相比較器の）降出力
３８  （出力）ＲＳフリップフロップ
４４  順方向路
４６  復帰路
【図１】
0003841456.tif 000009
【図２】
0003841456.tif 000010
【図３】
0003841456.tif 000011
【図４】
0003841456.tif 000012
【図５】
0003841456.tif 000013
【図６】
0003841456.tif 000014
【図７】
0003841456.tif 000015
【図８】
0003841456.tif 000016
【図９】
0003841456.tif 000017